(57)【要約】【課題】無線ＬＡＮ端末装置が無線ＬＡＮアクセスポイント装置のカバレッジ内に移動する前に、事前に、該無線ＬＡＮアクセスポイント装置への接続処理および該無線ＬＡＮアクセスポイント装置を利用する際の認証処理を行うことを図る。【解決手段】無線ＬＡＮ接続認証代行装置１０は、マルチモード端末３０から受信した、無線ＬＡＮ接続用情報を使用して無線ＬＡＮアクセスポイント装置５０に接続すると共に、無線ＬＡＮ認証用情報を使用して無線ＬＡＮアクセスポイント装置５０を利用する際の認証処理を行い、無線ＬＡＮ接続状態情報および無線ＬＡＮ認証状態情報をマルチモード端末３０へ送信する。マルチモード端末３０は、無線ＬＡＮ接続認証代行装置１０から受信した、無線ＬＡＮ接続状態情報を使用して無線ＬＡＮアクセスポイント装置５０に接続すると共に、無線ＬＡＮ認証状態情報を使用して無線ＬＡＮアクセスポイント装置５０を利用する。【選択図】図１
2012039584.tif 000002
【特許請求の範囲】
【請求項１】
通信ネットワークを介して無線ＬＡＮ端末と通信する通信ネットワークインタフェース部と、
前記無線ＬＡＮ端末から受信した無線ＬＡＮ接続用情報を使用して、無線ＬＡＮアクセスポイント装置に接続する無線ＬＡＮインタフェース部と、
前記無線ＬＡＮ端末から受信した無線ＬＡＮ認証用情報を使用して、前記無線ＬＡＮアクセスポイント装置を利用する際の認証処理を行う認証処理部と、
前記無線ＬＡＮアクセスポイント装置に接続した時の接続状態を示す情報（無線ＬＡＮ接続状態情報）および前記認証した時の認証状態を示す情報（無線ＬＡＮ認証状態情報）を前記無線ＬＡＮ端末へ送信する代行管理部と、
を備えたことを特徴とする無線ＬＡＮ接続認証代行装置。
【請求項２】
前記代行管理部は、前記無線ＬＡＮアクセスポイント装置に接続後、前記無線ＬＡＮ接続用情報を使用して前記無線ＬＡＮアクセスポイント装置との接続を維持する接続維持処理を行う、
ことを特徴とする請求項１に記載の無線ＬＡＮ接続認証代行装置。
【請求項３】
前記代行管理部は、前記無線ＬＡＮ端末から代行終了要求メッセージを受信すると、前記接続維持処理を停止する、
ことを特徴とする請求項２に記載の無線ＬＡＮ接続認証代行装置。
【請求項４】
前記代行管理部は、前記無線ＬＡＮアクセスポイント装置との接続を維持している期間中に、前記無線ＬＡＮ接続状態情報または前記無線ＬＡＮ認証状態情報が変更されると、該更新データを前記無線ＬＡＮ端末へ送信する、
ことを特徴とする請求項２又は３に記載の無線ＬＡＮ接続認証代行装置。
【請求項５】
前記無線ＬＡＮアクセスポイント装置に対する接続の代行を要求した複数の前記無線ＬＡＮ端末の情報を格納する代行処理要求データベース部を備え、
前記代行管理部は、該複数の無線ＬＡＮ端末に係る前記無線ＬＡＮアクセスポイント装置への接続処理および認証処理を無線ＬＡＮ端末の優先順位に従って行う、
ことを特徴とする請求項１から４のいずれか１項に記載の無線ＬＡＮ接続認証代行装置。
【請求項６】
前記無線ＬＡＮ端末の優先順位は、前記無線ＬＡＮ端末からの代行開始要求メッセージの受信順、又は、前記無線ＬＡＮ端末が前記無線ＬＡＮアクセスポイント装置のカバレッジへ到着する予定時刻が早い順であることを特徴とする請求項５に記載の無線ＬＡＮ接続認証代行装置。
【請求項７】
前記代行管理部は、複数の無線ＬＡＮアクセスポイント装置に接続可能である場合に、該複数の無線ＬＡＮアクセスポイント装置の中から無作為に１つの無線ＬＡＮアクセスポイント装置を接続先に選択する、
ことを特徴とする請求項１から６のいずれか１項に記載の無線ＬＡＮ接続認証代行装置。
【請求項８】
無線ＬＡＮアクセスポイント装置の混み具合を測定する測定部を備え、
前記代行管理部は、複数の無線ＬＡＮアクセスポイント装置に接続可能である場合に、該複数の無線ＬＡＮアクセスポイント装置の中から比較的空いている１つの無線ＬＡＮアクセスポイント装置を接続先に選択する、
ことを特徴とする請求項１から６のいずれか１項に記載の無線ＬＡＮ接続認証代行装置。
【請求項９】
通信ネットワークを介して無線ＬＡＮ接続認証代行装置と通信する通信ネットワークインタフェース部と、
自装置がアクセスする予定である無線ＬＡＮアクセスポイント装置に対応して設けられた無線ＬＡＮ接続認証代行装置に対して、自装置の無線ＬＡＮ接続用情報および無線ＬＡＮ認証用情報を送信する事前接続認証管理部と、
該無線ＬＡＮ接続認証代行装置が前記無線ＬＡＮ接続用情報を使用して前記無線ＬＡＮアクセスポイント装置に接続した時の接続状態を示す情報（無線ＬＡＮ接続状態情報）を前記通信ネットワークインタフェース部により該無線ＬＡＮ接続認証代行装置から受信し、該無線ＬＡＮ接続状態情報を使用して前記無線ＬＡＮアクセスポイント装置に接続する無線ＬＡＮインタフェース部と、
該無線ＬＡＮ接続認証代行装置が前記無線ＬＡＮ認証用情報を使用して前記無線ＬＡＮアクセスポイント装置を利用する際の認証処理を行った時の認証状態を示す情報（無線ＬＡＮ認証状態情報）を前記通信ネットワークインタフェース部により該無線ＬＡＮ接続認証代行装置から受信し、該無線ＬＡＮ認証状態情報を使用して前記無線ＬＡＮアクセスポイント装置を利用する認証処理部と、
を備えたことを特徴とする無線ＬＡＮ端末装置。
【請求項１０】
前記事前接続認証管理部は、前記受信した無線ＬＡＮ接続状態情報および無線ＬＡＮ認証状態情報の送信元の無線ＬＡＮ接続認証代行装置に対応する無線ＬＡＮアクセスポイント装置に接続可能になった時に、該無線ＬＡＮ接続認証代行装置へ代行終了要求メッセージを送信する、
ことを特徴とする請求項９に記載の無線ＬＡＮ端末装置。
【請求項１１】
前記無線ＬＡＮインタフェース部は、前記無線ＬＡＮ接続認証代行装置から前記通信ネットワークインタフェース部により受信した無線ＬＡＮ接続状態情報更新データを既に受信している無線ＬＡＮ接続状態情報に反映した無線ＬＡＮ接続状態情報を使用し、
前記認証処理部は、前記無線ＬＡＮ接続認証代行装置から前記通信ネットワークインタフェース部により受信した無線ＬＡＮ認証状態情報更新データを既に受信している無線ＬＡＮ認証状態情報に反映した無線ＬＡＮ認証状態情報を使用する、
ことを特徴とする請求項９又は１０に記載の無線ＬＡＮ端末装置。
【請求項１２】
自装置がアクセスする予定である無線ＬＡＮアクセスポイント装置の位置に対応する位置に在る無線ＬＡＮ接続認証代行装置の情報を、無線ＬＡＮ接続認証代行装置の設置位置を示す位置情報に対応付けて無線ＬＡＮ接続認証代行装置の情報が登録されている登録データから検索する代行装置検索部を備えた、
ことを特徴とする請求項９から１１のいずれか１項に記載の無線ＬＡＮ端末装置。
【請求項１３】
前記事前接続認証管理部は、アクセス先候補の無線ＬＡＮアクセスポイント装置が複数ある場合に、該複数の無線ＬＡＮアクセスポイント装置に対応する各無線ＬＡＮ接続認証代行装置へ、自装置の無線ＬＡＮ接続用情報および無線ＬＡＮ認証用情報を含む代行開始要求メッセージを送信することを特徴とする請求項９から１２のいずれか１項に記載の無線ＬＡＮ端末装置。
【請求項１４】
請求項１に記載の無線ＬＡＮ接続認証代行装置と、請求項９に記載の無線ＬＡＮ端末装置とを有することを特徴とする無線ＬＡＮシステム。
【請求項１５】
無線ＬＡＮアクセスポイント装置に接続可能な無線ＬＡＮ接続認証代行装置と、前記無線ＬＡＮ接続認証代行装置との間で通信ネットワークを介して通信可能な無線ＬＡＮ端末とを有する無線ＬＡＮシステムにおける無線ＬＡＮ接続認証代行方法であって、
前記無線ＬＡＮ端末装置が、自装置がアクセスする予定である無線ＬＡＮアクセスポイント装置に対応して設けられた前記無線ＬＡＮ接続認証代行装置に対して、自装置の無線ＬＡＮ接続用情報および無線ＬＡＮ認証用情報を送信するステップと、
前記無線ＬＡＮ接続認証代行装置が、前記無線ＬＡＮ端末から受信した無線ＬＡＮ接続用情報を使用して、前記無線ＬＡＮアクセスポイント装置に接続するステップと、
前記無線ＬＡＮ接続認証代行装置が、前記無線ＬＡＮ端末から受信した無線ＬＡＮ認証用情報を使用して、前記無線ＬＡＮアクセスポイント装置を利用する際の認証処理を行うステップと、
前記無線ＬＡＮ接続認証代行装置が、前記無線ＬＡＮアクセスポイント装置に接続した時の接続状態を示す情報（無線ＬＡＮ接続状態情報）および前記認証した時の認証状態を示す情報（無線ＬＡＮ認証状態情報）を前記無線ＬＡＮ端末へ送信するステップと、
前記無線ＬＡＮ端末装置が、前記無線ＬＡＮ接続認証代行装置から受信した無線ＬＡＮ接続状態情報を使用して、前記無線ＬＡＮアクセスポイント装置に接続するステップと、
前記無線ＬＡＮ端末装置が、前記無線ＬＡＮ接続認証代行装置から受信した無線ＬＡＮ認証状態情報を使用して、前記無線ＬＡＮアクセスポイント装置を利用するステップと、
を含むことを特徴とする無線ＬＡＮ接続認証代行方法。
【発明の詳細な説明】
【技術分野】
【０００１】
本発明は、無線ＬＡＮ接続認証代行装置、無線ＬＡＮ端末装置、無線ＬＡＮシステム及び無線ＬＡＮ接続認証代行方法に関する。
【背景技術】
【０００２】
近年、公衆無線ＬＡＮのアクセスポイント装置（ＡＰ）が、駅や飲食店などに設置されて利用できるようになってきている。また、複数の無線方式に対応したマルチモード端末が提供されはじめている。例えばセルラ移動体通信網と無線ＬＡＮとに対応したマルチモード端末によれば、無線環境に応じてセルラ移動体通信網と無線ＬＡＮとを切り替えて利用することができる。無線ＬＡＮは、カバレッジが狭くホットスポットであることから、電波の利用効率がよく、動画配信などの広帯域アプリケーション向けに好適と考えられる。一方で公衆無線ＬＡＮは、一般的に通信前の接続処理および認証処理を必要としている。これらの処理は、数十秒から分単位の時間を要する場合があり、利用者の利便性を低下させる一要因になり得る。認証処理として、オープンアクセスを選択すれば、認証処理に要する時間は短縮されるが、セキュアな通信を行ったり、利用者を登録者に限定したりすることができない。非特許文献１には、無線ＬＡＮ端末と無線ＬＡＮアクセスポイント装置とが互いに証明書などを用いて認証を行い、セキュアな通信を行う技術である「ＩＥＥＥ８０２．１Ｘ」などが記載されている。
【０００３】
特許文献１には、端末装置からサーバに対して無線ＬＡＮの１つのエリアを通知すると、サーバから該エリア内で必要な通信接続用データが送られてきて端末装置に設定する技術が開示されている。
特許文献２には、通信端末が、通信方式の異なる複数のネットワークを通じて受信する電波の強度を検知して移動先のネットワークを予測し、予測した移動先のネットワークにおいて通信接続を制御する技術が開示されている。
【先行技術文献】
【特許文献】
【０００４】
【特許文献１】特開２００４−３５００５４号公報
【特許文献２】特開２００６−２７０５７６号公報
【非特許文献】
【０００５】
【非特許文献１】ＲＦＣ３７４８、IETF（Internet Engineering Task Force）
【発明の概要】
【発明が解決しようとする課題】
【０００６】
しかし、上述した従来の技術では、無線ＬＡＮ端末装置は、無線ＬＡＮアクセスポイント装置のカバレッジ内に入るまでは、該無線ＬＡＮアクセスポイント装置への接続処理および該無線ＬＡＮアクセスポイント装置を利用する際の認証処理を行うことができない。このため、無線ＬＡＮ端末装置は、無線ＬＡＮアクセスポイント装置のカバレッジ内に入っても、即時には、該無線ＬＡＮアクセスポイント装置を介したデータ通信を開始することができない。
【０００７】
本発明は、このような事情を考慮してなされたもので、無線ＬＡＮ端末装置が無線ＬＡＮアクセスポイント装置のカバレッジ内に移動する前に、事前に、該無線ＬＡＮアクセスポイント装置への接続処理および該無線ＬＡＮアクセスポイント装置を利用する際の認証処理を行うことができる無線ＬＡＮ接続認証代行装置、無線ＬＡＮ端末装置、無線ＬＡＮシステム及び無線ＬＡＮ接続認証代行方法を提供することを課題とする。
【課題を解決するための手段】
【０００８】
上記の課題を解決するために、本発明に係る無線ＬＡＮ接続認証代行装置は、通信ネットワークを介して無線ＬＡＮ端末と通信する通信ネットワークインタフェース部と、前記無線ＬＡＮ端末から受信した無線ＬＡＮ接続用情報を使用して、無線ＬＡＮアクセスポイント装置に接続する無線ＬＡＮインタフェース部と、前記無線ＬＡＮ端末から受信した無線ＬＡＮ認証用情報を使用して、前記無線ＬＡＮアクセスポイント装置を利用する際の認証処理を行う認証処理部と、前記無線ＬＡＮアクセスポイント装置に接続した時の接続状態を示す情報（無線ＬＡＮ接続状態情報）および前記認証した時の認証状態を示す情報（無線ＬＡＮ認証状態情報）を前記無線ＬＡＮ端末へ送信する代行管理部と、を備えたことを特徴とする。
【０００９】
本発明に係る無線ＬＡＮ接続認証代行装置において、前記代行管理部は、前記無線ＬＡＮアクセスポイント装置に接続後、前記無線ＬＡＮ接続用情報を使用して前記無線ＬＡＮアクセスポイント装置との接続を維持する接続維持処理を行う、ことを特徴とする。
【００１０】
本発明に係る無線ＬＡＮ接続認証代行装置において、前記代行管理部は、前記無線ＬＡＮ端末から代行終了要求メッセージを受信すると、前記接続維持処理を停止する、ことを特徴とする。
【００１１】
本発明に係る無線ＬＡＮ接続認証代行装置において、前記代行管理部は、前記無線ＬＡＮアクセスポイント装置との接続を維持している期間中に、前記無線ＬＡＮ接続状態情報または前記無線ＬＡＮ認証状態情報が変更されると、該更新データを前記無線ＬＡＮ端末へ送信する、ことを特徴とする。
【００１２】
本発明に係る無線ＬＡＮ接続認証代行装置においては、前記無線ＬＡＮアクセスポイント装置に対する接続の代行を要求した複数の前記無線ＬＡＮ端末の情報を格納する代行処理要求データベース部を備え、前記代行管理部は、該複数の無線ＬＡＮ端末に係る前記無線ＬＡＮアクセスポイント装置への接続処理および認証処理を無線ＬＡＮ端末の優先順位に従って行う、ことを特徴とする。
【００１３】
本発明に係る無線ＬＡＮ接続認証代行装置において、前記無線ＬＡＮ端末の優先順位は、前記無線ＬＡＮ端末からの代行開始要求メッセージの受信順、又は、前記無線ＬＡＮ端末が前記無線ＬＡＮアクセスポイント装置のカバレッジへ到着する予定時刻が早い順であることを特徴とする。
【００１４】
本発明に係る無線ＬＡＮ接続認証代行装置において、前記代行管理部は、複数の無線ＬＡＮアクセスポイント装置に接続可能である場合に、該複数の無線ＬＡＮアクセスポイント装置の中から無作為に１つの無線ＬＡＮアクセスポイント装置を接続先に選択する、ことを特徴とする。
【００１５】
本発明に係る無線ＬＡＮ接続認証代行装置においては、無線ＬＡＮアクセスポイント装置の混み具合を測定する測定部を備え、前記代行管理部は、複数の無線ＬＡＮアクセスポイント装置に接続可能である場合に、該複数の無線ＬＡＮアクセスポイント装置の中から比較的空いている１つの無線ＬＡＮアクセスポイント装置を接続先に選択する、ことを特徴とする。
【００１６】
本発明に係る無線ＬＡＮ端末装置は、通信ネットワークを介して無線ＬＡＮ接続認証代行装置と通信する通信ネットワークインタフェース部と、自装置がアクセスする予定である無線ＬＡＮアクセスポイント装置に対応して設けられた無線ＬＡＮ接続認証代行装置に対して、自装置の無線ＬＡＮ接続用情報および無線ＬＡＮ認証用情報を送信する事前接続認証管理部と、該無線ＬＡＮ接続認証代行装置が前記無線ＬＡＮ接続用情報を使用して前記無線ＬＡＮアクセスポイント装置に接続した時の接続状態を示す情報（無線ＬＡＮ接続状態情報）を前記通信ネットワークインタフェース部により該無線ＬＡＮ接続認証代行装置から受信し、該無線ＬＡＮ接続状態情報を使用して前記無線ＬＡＮアクセスポイント装置に接続する無線ＬＡＮインタフェース部と、該無線ＬＡＮ接続認証代行装置が前記無線ＬＡＮ認証用情報を使用して前記無線ＬＡＮアクセスポイント装置を利用する際の認証処理を行った時の認証状態を示す情報（無線ＬＡＮ認証状態情報）を前記通信ネットワークインタフェース部により該無線ＬＡＮ接続認証代行装置から受信し、該無線ＬＡＮ認証状態情報を使用して前記無線ＬＡＮアクセスポイント装置を利用する認証処理部と、を備えたことを特徴とする。
【００１７】
本発明に係る無線ＬＡＮ端末装置において、前記事前接続認証管理部は、前記受信した無線ＬＡＮ接続状態情報および無線ＬＡＮ認証状態情報の送信元の無線ＬＡＮ接続認証代行装置に対応する無線ＬＡＮアクセスポイント装置に接続可能になった時に、該無線ＬＡＮ接続認証代行装置へ代行終了要求メッセージを送信する、ことを特徴とする。
【００１８】
本発明に係る無線ＬＡＮ端末装置において、前記無線ＬＡＮインタフェース部は、前記無線ＬＡＮ接続認証代行装置から前記通信ネットワークインタフェース部により受信した無線ＬＡＮ接続状態情報更新データを既に受信している無線ＬＡＮ接続状態情報に反映した無線ＬＡＮ接続状態情報を使用し、前記認証処理部は、前記無線ＬＡＮ接続認証代行装置から前記通信ネットワークインタフェース部により受信した無線ＬＡＮ認証状態情報更新データを既に受信している無線ＬＡＮ認証状態情報に反映した無線ＬＡＮ認証状態情報を使用する、ことを特徴とする。
【００１９】
本発明に係る無線ＬＡＮ端末装置においては、自装置がアクセスする予定である無線ＬＡＮアクセスポイント装置の位置に対応する位置に在る無線ＬＡＮ接続認証代行装置の情報を、無線ＬＡＮ接続認証代行装置の設置位置を示す位置情報に対応付けて無線ＬＡＮ接続認証代行装置の情報が登録されている登録データから検索する代行装置検索部を備えた、ことを特徴とする。
【００２０】
本発明に係る無線ＬＡＮ端末装置において、前記事前接続認証管理部は、アクセス先候補の無線ＬＡＮアクセスポイント装置が複数ある場合に、該複数の無線ＬＡＮアクセスポイント装置に対応する各無線ＬＡＮ接続認証代行装置へ、自装置の無線ＬＡＮ接続用情報および無線ＬＡＮ認証用情報を含む代行開始要求メッセージを送信することを特徴とする。
【００２１】
本発明に係る無線ＬＡＮシステムは、前述の無線ＬＡＮ接続認証代行装置と、前述の無線ＬＡＮ端末装置とを有することを特徴とする。
【００２２】
本発明に係る無線ＬＡＮ接続認証代行方法は、無線ＬＡＮアクセスポイント装置に接続可能な無線ＬＡＮ接続認証代行装置と、前記無線ＬＡＮ接続認証代行装置との間で通信ネットワークを介して通信可能な無線ＬＡＮ端末とを有する無線ＬＡＮシステムにおける無線ＬＡＮ接続認証代行方法であって、前記無線ＬＡＮ端末装置が、自装置がアクセスする予定である無線ＬＡＮアクセスポイント装置に対応して設けられた前記無線ＬＡＮ接続認証代行装置に対して、自装置の無線ＬＡＮ接続用情報および無線ＬＡＮ認証用情報を送信するステップと、前記無線ＬＡＮ接続認証代行装置が、前記無線ＬＡＮ端末から受信した無線ＬＡＮ接続用情報を使用して、前記無線ＬＡＮアクセスポイント装置に接続するステップと、前記無線ＬＡＮ接続認証代行装置が、前記無線ＬＡＮ端末から受信した無線ＬＡＮ認証用情報を使用して、前記無線ＬＡＮアクセスポイント装置を利用する際の認証処理を行うステップと、前記無線ＬＡＮ接続認証代行装置が、前記無線ＬＡＮアクセスポイント装置に接続した時の接続状態を示す情報（無線ＬＡＮ接続状態情報）および前記認証した時の認証状態を示す情報（無線ＬＡＮ認証状態情報）を前記無線ＬＡＮ端末へ送信するステップと、前記無線ＬＡＮ端末装置が、前記無線ＬＡＮ接続認証代行装置から受信した無線ＬＡＮ接続状態情報を使用して、前記無線ＬＡＮアクセスポイント装置に接続するステップと、前記無線ＬＡＮ端末装置が、前記無線ＬＡＮ接続認証代行装置から受信した無線ＬＡＮ認証状態情報を使用して、前記無線ＬＡＮアクセスポイント装置を利用するステップと、を含むことを特徴とする。
【発明の効果】
【００２３】
本発明によれば、無線ＬＡＮ端末装置が無線ＬＡＮアクセスポイント装置のカバレッジ内に移動する前に、事前に、該無線ＬＡＮアクセスポイント装置への接続処理および該無線ＬＡＮアクセスポイント装置を利用する際の認証処理を行うことができるという効果が得られる。
【図面の簡単な説明】
【００２４】
【図１】本発明の第１実施形態に係る無線ＬＡＮシステムの概略構成図である。
【図２】図１に示す無線ＬＡＮ接続認証代行装置１０の構成を示すブロック図である。
【図３】図１に示すマルチモード端末３０の構成を示すブロック図である。
【図４】本発明の第１実施形態に係る無線ＬＡＮ接続認証代行方法の手順を示すシーケンス図である。
【図５】マルチモード端末３０と無線ＬＡＮ接続認証代行装置１０との間の通信形態に係る実施例１である。
【図６】マルチモード端末３０と無線ＬＡＮ接続認証代行装置１０との間の通信形態に係る実施例２である。
【図７】本発明の第４実施形態に係る無線ＬＡＮ接続認証代行処理の実行例を示すシーケンス図である。
【図８】本発明の第６実施形態に係る無線ＬＡＮ接続認証代行方法を説明するための説明図である。
【図９】本発明の第７実施形態に係る無線ＬＡＮ接続認証代行方法を説明するための説明図である。
【発明を実施するための形態】
【００２５】
以下、図面を参照し、本発明の実施形態について説明する。
【００２６】
［第１実施形態］
図１は、本発明の第１実施形態に係る無線ＬＡＮシステムの概略構成図である。図１において、無線ＬＡＮ接続認証代行装置１０は、特定の無線ＬＡＮアクセスポイント装置５０のカバレッジ５２内に設置されている。無線ＬＡＮ接続認証代行装置１０は、無線ＬＡＮとセルラ移動体通信網との２つの無線方式に対応しており、無線ＬＡＮアクセスポイント装置５０およびセルラ移動体通信網７０の基地局７２に接続可能である。
【００２７】
マルチモード端末３０は、使用者によって移動可能な端末である。マルチモード端末３０は、無線ＬＡＮとセルラ移動体通信網との２つの無線方式に対応しており、無線ＬＡＮアクセスポイント装置５０およびセルラ移動体通信網７０の基地局７２に接続可能である。
【００２８】
無線ＬＡＮアクセスポイント装置５０は、公衆無線ＬＡＮのアクセスポイント装置であり、公衆無線ＬＡＮ事業者網６０に接続されている。公衆無線ＬＡＮ事業者網６０には、認証サーバ（ＲＡＤＩＵＳ）６２および加入者データベースを備えたＤＨＣＰサーバ６４が設けられている。又、無線ＬＡＮアクセスポイント装置５０は、インターネット８０に接続されている。
【００２９】
セルラ移動体通信網７０は、セルラ方式の移動通信網である。セルラ移動体通信網７０には、セル毎に基地局７２が設けられている。又、セルラ移動体通信網７０には加入者データベース７４が設けられている。セルラ移動体通信網７０はインターネット８０に接続されている。
【００３０】
なお、セルラ移動体通信網の無線方式としては、例えば、ＷｉＭＡＸ、ＥＶ−ＤＯ、ＬＴＥなどが挙げられる。
【００３１】
図２は、図１に示す無線ＬＡＮ接続認証代行装置１０の構成を示すブロック図である。図２において、無線ＬＡＮ接続認証代行装置１０は、無線ＬＡＮインタフェース部１２と認証処理部１４と代行管理部１６とセルラ移動体通信網インタフェース部１８と代行処理要求データベース部２０とを有する。
【００３２】
無線ＬＡＮインタフェース部１２は、無線ＬＡＮアクセスポイント装置５０に接続してデータを送受信する。認証処理部１４は、無線ＬＡＮアクセスポイント装置５０を利用する際の認証処理を行う。この認証処理は、無線ＬＡＮアクセスポイント装置５０を介してセキュアな通信を行ったり、無線ＬＡＮアクセスポイント装置５０を利用する利用者を登録者に限定したりするためのものである。代行管理部１６は、マルチモード端末３０からの要求に応じて無線ＬＡＮ接続認証代行処理を行う。セルラ移動体通信網インタフェース部１８は、セルラ移動体通信網７０の基地局７２に接続してデータを送受信する。代行処理要求データベース部２０は、無線ＬＡＮ接続認証代行処理を要求したマルチモード端末３０の情報を格納する。
【００３３】
なお、無線ＬＡＮインタフェース部１２は、アンテナを有して無線ＬＡＮアクセスポイント装置５０に無線接続するものであってもよく、或いは、ＲＦケーブルで無線ＬＡＮアクセスポイント装置５０に有線接続するものであってもよい。
【００３４】
図３は、図１に示すマルチモード端末３０の構成を示すブロック図である。図３において、マルチモード端末３０は、無線ＬＡＮインタフェース部３２と認証処理部３４と事前接続認証処理管理部３６とセルラ移動体通信網インタフェース部３８と代行装置検索部４０とを有する。
【００３５】
無線ＬＡＮインタフェース部３２は、無線ＬＡＮアクセスポイント装置５０に接続してデータを送受信する。認証処理部３４は、無線ＬＡＮアクセスポイント装置５０を介してセキュアな通信を行うための認証処理を行う。事前接続認証処理管理部３６は、無線ＬＡＮ接続認証代行装置１０に対する事前接続認証処理を行う。セルラ移動体通信網インタフェース部３８は、セルラ移動体通信網７０の基地局７２に接続してデータを送受信する。代行装置検索部４０は、自端末がアクセスする予定である無線ＬＡＮアクセスポイント装置５０に対応する無線ＬＡＮ接続認証代行装置１０を登録済みの無線ＬＡＮ接続認証代行装置１０の中から検索する。
【００３６】
なお、無線ＬＡＮインタフェース部３２とセルラ移動体通信網インタフェース部３８とは、異なる２つの筐体に実装され、近距離無線通信手段等によって該２つの筐体間のデータ送受信を行うようにしてもよい。
【００３７】
次に、図４を参照して、本実施形態に係る無線ＬＡＮシステムの動作を説明する。図４は、本実施形態に係る無線ＬＡＮ接続認証代行方法の手順を示すシーケンス図である。
【００３８】
はじめにマルチモード端末３０は、セルラ移動体通信網７０の基地局７２に接続し、セルラ移動体通信網７０を介してインターネット８０に接続しているとする。
【００３９】
（ステップＳ１）マルチモード端末３０の事前接続認証処理管理部３６は、代行装置検索部４０に対し、自端末がアクセスする予定である無線ＬＡＮアクセスポイント装置５０の位置を示す位置情報を通知して、無線ＬＡＮ接続認証代行装置１０の検索を指示する。代行装置検索部４０は、無線ＬＡＮ接続認証代行装置１０の設置位置を示す位置情報に対応付けて無線ＬＡＮ接続認証代行装置１０の情報（通信アドレス等）が登録されている登録データを参照し、事前接続認証処理管理部３６から通知された位置情報に対応付けて登録されている無線ＬＡＮ接続認証代行装置１０の情報を検索する。
【００４０】
なお、自端末がアクセスする予定である無線ＬＡＮアクセスポイント装置５０の位置としては、例えば、現在位置、将来の予想位置又は事前登録位置などが利用可能である。又、無線ＬＡＮ接続認証代行装置１０の登録データは、マルチモード端末３０内に保持してもよく、あるいは、無線ＬＡＮ接続認証代行装置１０の登録データを格納するデータベース装置を例えばインターネット８０上に設けて通信により該登録データを参照するようにしてもよい。
【００４１】
（ステップＳ２）マルチモード端末３０の事前接続認証処理管理部３６は、ステップＳ１で検索された無線ＬＡＮ接続認証代行装置１０宛に、セルラ移動体通信網インタフェース部３８から、自端末の無線ＬＡＮ接続用情報および無線ＬＡＮ認証用情報を有する代行開始要求メッセージを送信する。この代行開始要求メッセージは、セルラ移動体通信網７０を介して、無線ＬＡＮ接続認証代行装置１０のセルラ移動体通信網インタフェース部１８で受信される。代行処理要求データベース部２０は、マルチモード端末３０から受信した代行開始要求メッセージを格納する。
【００４２】
マルチモード端末３０の無線ＬＡＮ接続用情報は、無線ＬＡＮアクセスポイント装置５０に接続するための接続処理で使用される情報を有する。該無線ＬＡＮ接続用情報としては、マルチモード端末３０のＭＡＣアドレスが挙げられる。マルチモード端末３０の無線ＬＡＮ認証用情報は、無線ＬＡＮアクセスポイント装置５０を利用する際の認証処理で使用される情報を有する。該無線ＬＡＮ認証用情報は、端末認証方式に依存するものであって、例えば、端末認証方式「ＩＥＥＥ８０２．１Ｘ」を利用する場合にはマルチモード端末３０に固有の証明書、識別情報とパスワードを用いて認証する方式の場合にはマルチモード端末３０に保存されている識別情報とパスワードの組、などが挙げられる。
【００４３】
なお、ステップＳ２における無線ＬＡＮ接続用情報および無線ＬＡＮ認証用情報は、事前にマルチモード端末３０に登録しておき、使用者の操作なしで自動的に送信することができるようにしておくことが好ましい。
【００４４】
（ステップＳ３）無線ＬＡＮ接続認証代行装置１０の代行管理部１６は、マルチモード端末３０から受信した代行開始要求メッセージに含まれる無線ＬＡＮ接続用情報を無線ＬＡＮインタフェース部１２に通知して、無線ＬＡＮアクセスポイント装置５０への接続を指示する。無線ＬＡＮインタフェース部１２は、代行管理部１６から通知された無線ＬＡＮ接続用情報（例えばＭＡＣアドレス）を使用して、無線ＬＡＮアクセスポイント装置５０に接続する。
【００４５】
（ステップＳ４）無線ＬＡＮ接続認証代行装置１０の代行管理部１６は、マルチモード端末３０から受信した代行開始要求メッセージに含まれる無線ＬＡＮ認証用情報を認証処理部１４に通知して、認証処理を指示する。認証処理部１４は、代行管理部１６から通知された無線ＬＡＮ認証用情報（例えばマルチモード端末３０の証明書）を使用して、認証サーバ６２との間で、無線ＬＡＮアクセスポイント装置５０を介してセキュアな通信を行うための認証処理（例えば「ＩＥＥＥ８０２．１Ｘ」準拠）を行う。
【００４６】
（ステップＳ５）無線ＬＡＮ接続認証代行装置１０の代行管理部１６は、ステップＳ４の認証処理が成功すると、無線ＬＡＮアクセスポイント装置５０を介してインターネット８０に接続する。これにより、無線ＬＡＮ接続認証代行装置１０は、インターネット８０を介してデータを送受することができるようになる。
【００４７】
（ステップＳ６）無線ＬＡＮ接続認証代行装置１０の代行管理部１６は、無線ＬＡＮアクセスポイント装置５０に接続した時の接続状態を示す情報（無線ＬＡＮ接続状態情報）および認証サーバ６２との間で認証した時の認証状態を示す情報（無線ＬＡＮ認証状態情報）を有する代行処理完了通知メッセージをマルチモード端末３０へ送信する。
【００４８】
無線ＬＡＮ接続状態情報は、無線ＬＡＮアクセスポイント装置５０の識別情報（ＥＳＳＩＤ）、チャネル番号、無線ＬＡＮ接続認証代行装置１０の位置情報、無線ＬＡＮアクセスポイント装置５０の位置情報などを有する。無線ＬＡＮ認証状態情報は、セキュアな通信に用いる暗号鍵の情報などを有する。
【００４９】
なお、ステップＳ６の代行処理完了通知メッセージ送信は、マルチモード端末３０が無線ＬＡＮアクセスポイント装置５０のカバレッジ５２に到着する予定時刻までに完了すればよく、複数のセッションに分割して該送信を行うようにしてもよい。
【００５０】
（ステップＳ７）無線ＬＡＮ接続認証代行装置１０の代行管理部１６は、マルチモード端末３０から代行終了要求メッセージを受信するまで、無線ＬＡＮ接続用情報を使用して無線ＬＡＮアクセスポイント装置５０との接続を維持する。例えば、代行管理部１６は、定期的に、無線ＬＡＮアクセスポイント装置５０を介して所定の通信相手との間で、所定のデータ通信を行う。このデータ通信では、ユーザトラヒックに与える影響を少なくするため、データ通信量は少ないことが望ましい。例えば、インターネット８０上の所定のウェブサーバからのデータ容量の少ないウェブページの読み込み、又は、インターネット８０上の所定のサーバに対する短時間のｐｉｎｇの実行などが挙げられる。
【００５１】
（ステップＳ８）無線ＬＡＮ接続認証代行装置１０の代行管理部１６は、無線ＬＡＮアクセスポイント装置５０との接続を維持している期間中に、無線ＬＡＮ接続状態情報または無線ＬＡＮ認証状態情報が変更されると、該更新データをマルチモード端末３０へ送信する。マルチモード端末３０の事前接続認証処理管理部３６は、無線ＬＡＮ接続認証代行装置１０から受信した更新データに含まれる無線ＬＡＮ接続状態情報更新データを、既に受信している無線ＬＡＮ接続状態情報に反映させる。又、マルチモード端末３０の事前接続認証処理管理部３６は、無線ＬＡＮ接続認証代行装置１０から受信した更新データに含まれる無線ＬＡＮ認証状態情報更新データを、既に受信している無線ＬＡＮ認証状態情報に反映させる。
【００５２】
（ステップＳ９）マルチモード端末３０の事前接続認証処理管理部３６は、無線ＬＡＮ接続認証代行装置１０から受信した無線ＬＡＮ接続状態情報に含まれる無線ＬＡＮ接続認証代行装置１０の位置情報または無線ＬＡＮアクセスポイント装置５０の位置情報と、自端末の位置を示す位置情報とを比較する。事前接続認証処理管理部３６は、その比較結果に基づいて、無線ＬＡＮアクセスポイント装置５０に接続することができるか否かを判定する。この判定によって、マルチモード端末３０は、無線ＬＡＮアクセスポイント装置５０に接続して、無線ＬＡＮ接続認証代行装置１０から無線ＬＡＮアクセスポイント装置５０との接続を引き継ぐことができるタイミングを把握する。
【００５３】
（ステップＳ１０）マルチモード端末３０の事前接続認証処理管理部３６は、ステップＳ９の判定の結果、無線ＬＡＮアクセスポイント装置５０に接続可能であり、無線ＬＡＮ接続認証代行装置１０から無線ＬＡＮアクセスポイント装置５０との接続を引き継ぐことができる場合に、無線ＬＡＮ接続認証代行装置１０へ代行終了要求メッセージを送信する。
【００５４】
（ステップＳ１１）無線ＬＡＮ接続認証代行装置１０の代行管理部１６は、マルチモード端末３０から代行終了要求メッセージを受信すると、ステップＳ７の無線ＬＡＮアクセスポイント装置５０との接続を維持する処理を停止する。
【００５５】
（ステップＳ１２）マルチモード端末３０の事前接続認証処理管理部３６は、無線ＬＡＮ接続認証代行装置１０から受信した無線ＬＡＮ接続状態情報を無線ＬＡＮインタフェース部３２に設定する。これにより、無線ＬＡＮインタフェース部３２は、該無線ＬＡＮ接続状態情報を使用して、無線ＬＡＮアクセスポイント装置５０に接続する。又、事前接続認証処理管理部３６は、無線ＬＡＮ接続認証代行装置１０から受信した無線ＬＡＮ認証状態情報を認証処理部３４に設定する。これにより、認証処理部３４は、該無線ＬＡＮ認証状態情報を使用して、無線ＬＡＮアクセスポイント装置５０を介してセキュアな通信を行うための認証状態を継続する。そして、事前接続認証処理管理部３６は、セルラ移動体通信網インタフェース部３８から無線ＬＡＮインタフェース部３２へ、使用する通信インタフェースを切り替える。
【００５６】
（ステップＳ１３）マルチモード端末３０は、無線ＬＡＮアクセスポイント装置５０を介してインターネット８０に接続し、無線ＬＡＮ認証状態情報に含まれる暗号鍵を用いた暗号通信（データトラヒックの送受信）を行う。
【００５７】
なお、無線ＬＡＮ接続認証代行装置１０は、マルチモード端末３０から、ステップＳ７の接続維持処理の対象になっている無線ＬＡＮアクセスポイント装置５０のカバレッジ５２内に移動する可能性がなくなったことを通知された場合、及び、ステップＳ７の接続維持処理を開始してから一定期間経過しても代行終了要求メッセージを受信しない場合には、ステップＳ７の接続維持処理を停止して無線ＬＡＮアクセスポイント装置５０との接続を切断する。
【００５８】
本実施形態によれば、マルチモード端末３０は、無線ＬＡＮアクセスポイント装置５０のカバレッジ５２内に移動する前に、該カバレッジ５２外において、無線ＬＡＮ接続認証代行装置１０を使用して、事前に、無線ＬＡＮアクセスポイント装置５０への接続および無線ＬＡＮアクセスポイント装置５０を介してセキュアな通信を行うための認証処理を完了することができる。これにより、マルチモード端末３０は、無線ＬＡＮアクセスポイント装置５０のカバレッジ５２内に移動すると直ぐに、無線ＬＡＮアクセスポイント装置５０を介してデータ通信を開始することができる。この結果として、マルチモード端末３０の使用者がセルラ移動体通信網と無線ＬＡＮとを併用するときの利便性が向上する。
【００５９】
又、本実施形態によれば、無線ＬＡＮアクセスポイント装置５０は既存の装置を流用することができる。又、公衆無線ＬＡＮ網６０とセルラ移動体通信網７０とは認証処理などで連携する必要がない。このことは、多くの事業者が公衆無線LANサービスを提供していることを考慮すると非常に有用である。
【００６０】
［第２実施形態］
第２実施形態は、上記第１実施形態のマルチモード端末３０に係る変形例である。第２実施形態では、代行検索部４０を網側に配置する。例えば、インターネット８０上の所定のサーバに代行検索部４０を設ける。そして、マルチモード端末３０は、自己の位置情報を該サーバへ送信して無線ＬＡＮ接続認証代行装置１０の検索を依頼し、その検索結果の情報（無線ＬＡＮ接続認証代行装置１０のアドレス）を受け取る。
【００６１】
［第３実施形態］
第３実施形態は、上記第１実施形態のマルチモード端末３０と無線ＬＡＮ接続認証代行装置１０との間の通信形態に係る実施例である。
【００６２】
図５は、マルチモード端末３０と無線ＬＡＮ接続認証代行装置１０との間の通信形態に係る実施例１である。図５において、マルチモード端末３０と無線ＬＡＮ接続認証代行装置１０とは、移動網や固定網などの通信網を介して直接的に（サーバを介さずに）通信する。
【００６３】
図６は、マルチモード端末３０と無線ＬＡＮ接続認証代行装置１０との間の通信形態に係る実施例２である。図６において、マルチモード端末３０と無線ＬＡＮ接続認証代行装置１０とは、網側に設けられたプロキシサーバ９０を介して通信する。この通信手順としては、例えば、マルチモード端末３０からプロキシサーバ９０に接続して、プロキシサーバ９０から無線ＬＡＮ接続認証代行装置１０を呼び出す。又は、マルチモード端末３０からＳＭＳ（ショートメッセージサービス）を用いて無線ＬＡＮ接続認証代行装置１０を呼び出し、マルチモード端末３０と無線ＬＡＮ接続認証代行装置１０とが共通の識別子を用いてプロキシサーバ９０に接続し通信してもよい。
【００６４】
なお、マルチモード端末３０と無線ＬＡＮ接続認証代行装置１０との間の通信は、無線通信（移動網）であってもよく、或いは、有線通信（固定網）であってもよい。例えば、ＬＴＥ方式やＷｉＭＡＸ方式などの無線通信システムが利用可能である。
【００６５】
［第４実施形態］
第４実施形態は、上記第１実施形態に係る変形例である。第４実施形態では、無線ＬＡＮ接続認証代行装置１０は複数のマルチモード端末３０を対象にして並列的に無線ＬＡＮ接続認証代行処理を行う。
【００６６】
図７は、本実施形態に係る無線ＬＡＮ接続認証代行処理の実行例を示すシーケンス図である。図７の例では、無線ＬＡＮ接続認証代行装置１０は、２台のマルチモード端末３０−１，３０−２から各代行開始要求メッセージを受信している。そして、無線ＬＡＮ接続認証代行装置１０は、その２台のマルチモード端末３０−１，３０−２に係る無線ＬＡＮ接続認証代行処理を並列的に行う。ここでは、まずマルチモード端末３０−１に係る接続処理および認証処理を行ってから、マルチモード端末３０−２に係る接続処理および認証処理を行う。そして、マルチモード端末３０−１に係る接続維持処理とマルチモード端末３０−２に係る接続維持処理とを交互に繰り返す。
【００６７】
なお、代行管理部１６は、複数のマルチモード端末３０に係る無線ＬＡＮ接続認証代行処理を並列的に行う場合、処理対象のマルチモード端末３０に対応して無線ＬＡＮインタフェース部１２の設定を変更する。この設定変更の内容は、例えばマルチモード端末３０のＭＡＣアドレス等、マルチモード端末３０に固有の設定内容である。マルチモード端末３０に固有の設定内容は、代行開始要求メッセージに含まれている。各マルチモード端末３０から受信した代行開始要求メッセージは、代行処理要求データベース部２０に保存しておく。
【００６８】
また、複数のマルチモード端末３０に係る無線ＬＡＮ接続認証代行処理を並列的に行うときの順番は、各マルチモード端末３０の優先順位に従う。この優先順位は、代行開始要求メッセージの受信順であってもよく、或いは、無線ＬＡＮアクセスポイント装置５０のカバレッジ５２への到着予定時刻が早い順であってもよい。該到着予定時刻は、マルチモード端末３０が代行開始要求メッセージに含める。
【００６９】
また、無線ＬＡＮ接続認証代行装置１０が複数の無線ＬＡＮインタフェース部１２を備え、複数のマルチモード端末３０に係る無線ＬＡＮ接続認証代行処理を短時間で実行できるようにしてもよい。
【００７０】
また、代行処理要求データベース部２０は、無線ＬＡＮ接続認証代行処理で必要となる全ての情報を保持してもよく、或いは、どのマルチモード端末３０から代行開始要求メッセージを受信したのかを示す情報のみを保持し、必要に応じて該マルチモード端末３０から必要な情報を、セルラ移動体通信網７０を介して取得するようにしてもよい。
【００７１】
［第５実施形態］
第５実施形態は、上記第４実施形態に係る変形例である。第５実施形態では、無線ＬＡＮ接続認証代行装置１０の代行管理部１６は、複数のマルチモード端末３０から代行開始要求メッセージを受信した場合に、各マルチモード端末３０の優先順位または自装置の処理能力の情報に基づいて、特定のマルチモード端末３０に係る無線ＬＡＮ接続認証代行処理を並列的に行うことができるか否かを判定する。この判定の結果、特定のマルチモード端末３０に係る無線ＬＡＮ接続認証代行処理を並列的に行うことができない場合には、代行管理部１６は、該特定のマルチモード端末３０に対して、代行処理不可通知メッセージを送信する。
【００７２】
マルチモード端末３０は、無線ＬＡＮ接続認証代行装置１０から代行処理不可通知メッセージを受信した場合、事前接続認証処理を停止する。これにより、該マルチモード端末３０は、無線ＬＡＮアクセスポイント装置５０のカバレッジ５２に到着してから、無線ＬＡＮアクセスポイント装置５０への通常の接続処理および認証処理を開始する。
【００７３】
なお、マルチモード端末３０は、無線ＬＡＮ接続認証代行装置１０から代行処理完了通知メッセージを未受信のままで無線ＬＡＮアクセスポイント装置５０のカバレッジ５２に到着した場合には、事前接続認証処理を停止し、無線ＬＡＮアクセスポイント装置５０への通常の接続処理および認証処理を開始する。
【００７４】
［第６実施形態］
第６実施形態は、上記第１実施形態のマルチモード端末３０に係る変形例である。第６実施形態では、１台のマルチモード端末３０が、複数の無線ＬＡＮ接続認証代行装置１０に対して同時に代行開始要求メッセージを送信する。図８は、本実施形態に係る無線ＬＡＮ接続認証代行方法を説明するための説明図である。図８の例では、１台のマルチモード端末３０が２台の無線ＬＡＮ接続認証代行装置１０−１，１０−２に対して同時に代行開始要求メッセージを送信する。これは、例えば、複数の無線ＬＡＮアクセスポイント装置５０−１，５０−２が近接した場所に設置されてあり、その場所へマルチモード端末３０が移動することが予想される場合に、アクセス先候補を無線ＬＡＮアクセスポイント装置５０−１，５０−２のいずれか１つに限定することができないときに有効である。
【００７５】
［第７実施形態］
第７実施形態は、上記第１実施形態に係る変形例である。第７実施形態では、１台の無線ＬＡＮ接続認証代行装置１０が、複数の無線ＬＡＮアクセスポイント装置５０に接続可能である。図９は、本実施形態に係る無線ＬＡＮ接続認証代行方法を説明するための説明図である。図９の例では、１台の無線ＬＡＮ接続認証代行装置１０が、２台の無線ＬＡＮアクセスポイント装置５０−１，５０−２に接続可能である。
【００７６】
無線ＬＡＮ接続認証代行装置１０の代行管理部１６は、マルチモード端末３０から代行開始要求メッセージを受信した場合に、複数の無線ＬＡＮアクセスポイント装置５０の中から１つの無線ＬＡＮアクセスポイント装置５０を選択し、選択した１つの無線ＬＡＮアクセスポイント装置５０に対して無線ＬＡＮ接続認証代行処理を行う。図９の例では、無線ＬＡＮ接続認証代行装置１０は、２台のマルチモード端末３０−１，３０−２から各代行開始要求メッセージを受信し、マルチモード端末３０−１に係る無線ＬＡＮ接続認証代行処理を無線ＬＡＮアクセスポイント装置５０−１に対して行い、マルチモード端末３０−２に係る無線ＬＡＮ接続認証代行処理を無線ＬＡＮアクセスポイント装置５０−２に対して行う。
【００７７】
無線ＬＡＮ接続認証代行処理の対象として、複数の無線ＬＡＮアクセスポイント装置５０の中から１つの無線ＬＡＮアクセスポイント装置５０を選択するときの選択方法としては、以下に示す２通りの方法１，２が挙げられる。
【００７８】
（方法１）無作為に１つの無線ＬＡＮアクセスポイント装置５０を選択する。
【００７９】
（方法２）無線ＬＡＮ接続認証代行装置１０は、無線ＬＡＮアクセスポイント装置５０の混み具合（例えば、端末接続数）を測定する測定部を備え、代行管理部１６は、複数の無線ＬＡＮアクセスポイント装置５０の中から比較的空いている１つの無線ＬＡＮアクセスポイント装置５０を選択する。
【００８０】
上記方法１又は２によれば、以下に示す効果が得られる。従来、複数の無線ＬＡＮアクセスポイント装置５０の中から、無線ＬＡＮ端末の接続先にする１つの無線ＬＡＮアクセスポイント装置５０を選択するときには、各無線ＬＡＮアクセスポイント装置５０からの受信信号強度を測定し、受信信号強度が比較的大きい無線ＬＡＮアクセスポイント装置５０を選択している。しかしながら、その従来の選択方法では、無線ＬＡＮ端末の接続先が特定の無線ＬＡＮアクセスポイント装置５０に偏ってしまい、この結果として該特定の無線ＬＡＮアクセスポイント装置５０が混雑し通信品質が低下するという問題が生じる可能性がある。これに対して、本実施形態に係る上記方法１又は２によれば、マルチモード端末３０の接続先が特定の無線ＬＡＮアクセスポイント装置５０に偏ることを防いで各無線ＬＡＮアクセスポイント装置５０の混み具合を均一化する効果が得られる。
【００８１】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００８２】
１０…無線ＬＡＮ接続認証代行装置、１２，３２…無線ＬＡＮインタフェース部、１４，３４…認証処理部、１６…代行管理部、１８，３８…セルラ移動体通信網インタフェース部、２０…代行処理要求データベース部、３０…マルチモード端末、３６…事前接続認証処理管理部、４０…代行装置検索部、５０…無線ＬＡＮアクセスポイント装置、５２…カバレッジ、６０…公衆無線ＬＡＮ事業者網、６２…認証サーバ、７０…セルラ移動体通信網、７２…基地局、８０…インターネット
【図１】
2012039584.tif 000003
【図２】
2012039584.tif 000004
【図３】
2012039584.tif 000005
【図４】
2012039584.tif 000006
【図５】
2012039584.tif 000007
【図６】
2012039584.tif 000008
【図７】
2012039584.tif 000009
【図８】
2012039584.tif 000010
【図９】
2012039584.tif 000011